(57)【特許請求の範囲】
【請求項１】
機器の使用に伴って徐々に消耗する消耗品を含む前記機器に対し、検出手段によって検出された前記消耗品の消費量及び当該消費量の検出時期に基づいて、前記消耗品の寿命が尽きる第１の時期と、前記消耗品の消費量が予め定められたレベルに達する、前記第１の時期よりも前の第３の時期と、を予測し、前記第３の時期と前記第１の時期との差に相当する予測差分期間を求める予測手段と、
前記予測手段によって複数の機器について各々求められた複数の予測差分期間に基づいて所定期間を設定する第２設定手段と、
前記第１の時期よりも前記所定期間前の第２の時期における前記消耗品の消耗量を予測し、当該予測した消耗量を前記消耗品の交換要請を出力する基準値として設定する第１設定手段と、
前記機器に設けられ、前記検出手段によって検出された前記消耗品の消耗量が前記第１設定手段により設定された前記基準値に達すると前記消耗品の交換要請を出力する消耗品交換要請出力手段と、
を含む消耗品管理装置。
【請求項２】
前記消耗品の消耗量は前記検出手段によって繰り返し検出されると共に、前記検出手段によって検出された前記消耗品の消耗量が、当該消耗量に対して予め設定された複数のレベルのうちの何れかのレベルに達する毎に、前記何れかのレベルに達した時期が前記レベルと対応付けて記録手段に記録され、
前記予測手段は、互いに異なるレベルと対応付けて前記記録手段に記録されている複数の時期に基づいて前記第１の時期を予測することを特徴とする請求項１記載の消耗品管理装置。
【請求項３】
前記予測手段によって求められた前記予測差分期間は記録手段に順次記録され、
前記第２設定手段は、前記記録手段に記録されている前記複数の予測差分期間に基づいて前記所定期間の設定を定期的に行うことを特徴とする請求項１記載の消耗品管理装置。
【請求項４】
前記第２設定手段は、前記複数の予測差分期間の最小値、又は、前記複数の予測差分期間を用いて作成したヒストグラムのうち前記予測差分期間が小さい側からの累積頻度が所定割合に達する位置における予測差分期間を、前記所定期間として設定することを特徴とする請求項１記載の消耗品管理装置。
【請求項５】
前記第２の時期を修正する条件と、前記条件に合致したときの前記第２の時期の修正ルールを対応付けて記憶する記憶手段と、
前記記憶手段に記憶されている条件を満たした場合に、満たした条件と対応付けて前記記憶手段に記憶されている修正ルールに従って、前記第１設定手段によって設定された前記第２の時期を修正する修正手段と、
を更に備えたことを特徴とする請求項１記載の消耗品管理装置。
【請求項６】
前記予測手段は、検出手段によって検出された前記消耗品の消耗量及び当該消耗量の検出時期に基づいて、前記消耗品の消耗量が予め設定された所定レベルに達する第３の時期も予測し、前記第３の時期と前記第１の時期との差に相当する予測差分期間を求め、
前記記憶手段には、前記条件として前記予測差分期間と前記所定期間との差の値が記憶されており、
前記修正手段は、前記予測差分期間と前記所定期間との差を求め、求めた差の値が前記記憶手段に記憶されている場合に、前記値と対応付けて前記記憶手段に記憶されている修正ルールに従って前記第２の時期を修正することを特徴とする請求項５記載の消耗品管理装置。
【請求項７】
前記記憶手段には、前記条件として前記第２の時期の日付に対する条件が記憶されており、
前記修正手段は、前記第２の時期の日付が前記第２記憶手段に記憶されている前記日付に対する条件に合致している場合に、前記条件と対応付けて前記記憶手段に記憶されている修正ルールに従って前記第２の時期を修正することを特徴とする請求項５記載の消耗品管理装置。
【請求項８】
前記記憶手段には、前記条件として前記機器が設置されている地区が記憶されており、
前記修正手段は、前記第１設定手段によって前記第２の時期が設定された機器が設置されている地区を認識し、認識した地区が前記記憶手段に記憶されている場合に、前記地区と対応付けて前記記憶手段に記憶されている修正ルールに従って前記第２の時期を修正することを特徴とする請求項５記載の消耗品管理装置。
【請求項９】
機器の使用に伴って徐々に消耗する消耗品を含む前記機器に内蔵されたコンピュータ又は前記機器と通信回線を介して接続されたコンピュータによって、
前記機器に対し検出手段によって検出された前記消耗品の消費量及び当該消費量の検出時期に基づいて、前記消耗品の寿命が尽きる第１の時期と、前記消耗品の消費量が予め定められたレベルに達する、前記第１の時期よりも前の第３の時期と、を予測し、前記第３の時期と前記第１の時期との差に相当する予測差分期間を求めるステップと、
複数の機器について各々求められた複数の予測差分期間に基づいて所定期間を設定するステップと、
前記第１の時期よりも前記所定期間前の第２の時期における前記消耗品の消耗量を予測し、当該予測した消耗量を前記消耗品の交換要請を出力する基準値として設定するステップと、
検出された前記消耗品の消耗量が設定した前記基準値に達すると前記消耗品の交換要請を出力するステップと、
を有する消耗品管理方法。
【請求項１０】
機器の使用に伴って徐々に消耗する消耗品を含む前記機器に内蔵されたコンピュータ又は前記機器と通信回線を介して接続されたコンピュータを、
前記機器に対し検出手段によって検出された前記消耗品の消費量及び当該消費量の検出時期に基づいて、前記消耗品の寿命が尽きる第１の時期と、前記消耗品の消費量が予め定められたレベルに達する、前記第１の時期よりも前の第３の時期と、を予測し、前記第３の時期と前記第１の時期との差に相当する予測差分期間を求める予測手段、
前記予測手段によって複数の機器について各々求められた複数の予測差分期間に基づいて所定期間を設定する第２設定手段、
前記第１の時期よりも前記所定期間前の第２の時期における前記消耗品の消耗量を予測し、当該予測した消耗量を前記消耗品の交換要請を出力する基準値として設定する第１設定手段、
及び、前記機器に設けられ、前記検出手段によって検出された前記消耗品の消耗量が前記第１設定手段により設定された前記基準値に達すると前記消耗品の交換要請を出力する消耗品交換要請出力手段
として機能させるための消耗品管理プログラム。
【発明の詳細な説明】
【技術分野】
【０００１】
本発明は消耗品管理装置、方法及びプログラムに係り、特に、機器の使用に伴って徐々に消耗する消耗品を含む前記機器における前記消耗品の交換を管理する消耗品管理装置、該消耗品管理装置に適用可能な消耗品管理方法、及び、コンピュータを前記消耗品管理装置として機能させるための消耗品管理プログラムに関する。
【背景技術】
【０００２】
画像形成装置における消耗品の交換管理に関し、特許文献１には、寿命や残量減少によって交換を行う必要のあるユニット毎に交換・補給時期が近づいたことを表示手段を介してユーザに通知した後、当該ユニットが寿命或いは残量無しになり、機械稼働が不可能となった時点までの時間計測を行い、計測した時間が一定時間より短い場合には、次回の交換・補給時期が近づいたことをユーザに知らせるための通知を、今回よりも一定量早めに行う技術が開示されている。
【０００３】
また特許文献２には、画像形成装置を構成する複数の部品のそれぞれの使用カウント数をカウントし、その使用カウント数を部品の交換時期の基準となる部品寿命カウント数とを比較し、その比較結果に基づいて部品の交換時期を判定すると共に、前記部品寿命カウント数を、部品の交換時に画像形成装置の操作部から入力される部品の消耗度レベルと、部品の使用カウント数とに基づいて変更することで、画像形成装置における部品の交換時期を正確に判定し、部品交換を適切なタイミングで実行させる技術が開示されている。
【特許文献１】特開２００４−８６０６４号公報
【特許文献２】特開２００５−１４３５４号公報
【発明の開示】
【発明が解決しようとする課題】
【０００４】
一般に、消耗品の残寿命が短くかつ消耗品交換作業のための期間も確保できる適切な時期に消耗品の交換要請を出力することを、人手を煩わすことなく、かつ機器に設けられた消耗品を最初に交換する際から実現することは困難であった。
【課題を解決するための手段】
【０００５】
請求項１記載の発明に係る消耗品管理装置は、機器の使用に伴って徐々に消耗する消耗品を含む前記機器に対し、検出手段によって検出された前記消耗品の消費量及び当該消費量の検出時期に基づいて、前記消耗品の寿命が尽きる第１の時期と、前記消耗品の消費量が予め定められたレベルに達する、前記第１の時期よりも前の第３の時期と、を予測し、前記第３の時期と前記第１の時期との差に相当する予測差分期間を求める予測手段と、前記予測手段によって複数の機器について各々求められた複数の予測差分期間に基づいて所定期間を設定する第２設定手段と、前記第１の時期よりも前記所定期間前の第２の時期における前記消耗品の消耗量を予測し、当該予測した消耗量を前記消耗品の交換要請を出力する基準値として設定する第１設定手段と、前記機器に設けられ、前記検出手段によって検出された前記消耗品の消耗量が前記第１設定手段により設定された前記基準値に達すると前記消耗品の交換要請を出力する消耗品交換要請出力手段と、を含んで構成されている。
【０００７】
請求項２記載の発明は、請求項１記載の発明において、前記消耗品の消耗量は前記検出手段によって繰り返し検出されると共に、前記検出手段によって検出された前記消耗品の消耗量が、当該消耗量に対して予め設定された複数のレベルのうちの何れかのレベルに達する毎に、前記何れかのレベルに達した時期が前記レベルと対応付けて記録手段に記録され、前記予測手段は、互いに異なるレベルと対応付けて前記記録手段に記録されている複数の時期に基づいて前記第１の時期を予測することを特徴としている。
【０００９】
請求項３記載の発明は、請求項１記載の発明において、前記予測手段によって求められた前記予測差分期間は記録手段に順次記録され、前記第２設定手段は、前記記録手段に記録されている前記複数の予測差分期間に基づいて前記所定期間の設定を定期的に行うことを特徴としている。
【００１０】
請求項４記載の発明は、請求項１記載の発明において、前記第２設定手段は、前記複数の予測差分期間の最小値、又は、前記複数の予測差分期間を用いて作成したヒストグラムのうち前記予測差分期間が小さい側からの累積頻度が所定割合に達する位置における予測差分期間を、前記所定期間として設定することを特徴としている。
【００１１】
請求項５記載の発明は、請求項１記載の発明において、前記第２の時期を修正する条件と、前記条件に合致したときの前記第２の時期の修正ルールを対応付けて記憶する記憶手段と、前記記憶手段に記憶されている条件を満たした場合に、満たした条件と対応付けて前記記憶手段に記憶されている修正ルールに従って、前記第１設定手段によって設定された前記第２の時期を修正する修正手段と、を更に備えたことを特徴としている。
【００１２】
請求項６記載の発明は、請求項５記載の発明において、前記予測手段は、検出手段によって検出された前記消耗品の消耗量及び当該消耗量の検出時期に基づいて、前記消耗品の消耗量が予め設定された所定レベルに達する第３の時期も予測し、前記第３の時期と前記第１の時期との差に相当する予測差分期間を求め、前記記憶手段には、前記条件として前記予測差分期間と前記所定期間との差の値が記憶されており、前記修正手段は、前記予測差分期間と前記所定期間との差を求め、求めた差の値が前記記憶手段に記憶されている場合に、前記値と対応付けて前記記憶手段に記憶されている修正ルールに従って前記第２の時期を修正することを特徴としている。
【００１３】
請求項７記載の発明は、請求項５記載の発明において、前記記憶手段には、前記条件として前記第２の時期の日付に対する条件が記憶されており、前記修正手段は、前記第２の時期の日付が前記第２記憶手段に記憶されている前記日付に対する条件に合致している場合に、前記条件と対応付けて前記記憶手段に記憶されている修正ルールに従って前記第２の時期を修正することを特徴としている。
【００１４】
請求項８記載の発明は、請求項５記載の発明において、前記記憶手段には、前記条件として前記機器が設置されている地区が記憶されており、前記修正手段は、前記第１設定手段によって前記第２の時期が設定された機器が設置されている地区を認識し、認識した地区が前記記憶手段に記憶されている場合に、前記地区と対応付けて前記記憶手段に記憶されている修正ルールに従って前記第２の時期を修正することを特徴としている。
【００１５】
請求項９記載の発明に係る消耗品管理方法は、機器の使用に伴って徐々に消耗する消耗品を含む前記機器に内蔵されたコンピュータ又は前記機器と通信回線を介して接続されたコンピュータによって、前記機器に対し検出手段によって検出された前記消耗品の消費量及び当該消費量の検出時期に基づいて、前記消耗品の寿命が尽きる第１の時期と、前記消耗品の消費量が予め定められたレベルに達する、前記第１の時期よりも前の第３の時期と、を予測し、前記第３の時期と前記第１の時期との差に相当する予測差分期間を求めるステップと、複数の機器について各々求められた複数の予測差分期間に基づいて所定期間を設定するステップと、前記第１の時期よりも前記所定期間前の第２の時期における前記消耗品の消耗量を予測し、当該予測した消耗量を前記消耗品の交換要請を出力する基準値として設定するステップと、検出された前記消耗品の消耗量が設定した前記基準値に達すると前記消耗品の交換要請を出力するステップと、を有する。
【００１６】
請求項１０記載の発明に係る消耗品管理プログラムは、機器の使用に伴って徐々に消耗する消耗品を含む前記機器に内蔵されたコンピュータ又は前記機器と通信回線を介して接続されたコンピュータを、前記機器に対し検出手段によって検出された前記消耗品の消費量及び当該消費量の検出時期に基づいて、前記消耗品の寿命が尽きる第１の時期と、前記消耗品の消費量が予め定められたレベルに達する、前記第１の時期よりも前の第３の時期と、を予測し、前記第３の時期と前記第１の時期との差に相当する予測差分期間を求める予測手段、前記予測手段によって複数の機器について各々求められた複数の予測差分期間に基づいて所定期間を設定する第２設定手段、前記第１の時期よりも前記所定期間前の第２の時期における前記消耗品の消耗量を予測し、当該予測した消耗量を前記消耗品の交換要請を出力する基準値として設定する第１設定手段、及び、前記機器に設けられ、前記検出手段によって検出された前記消耗品の消耗量が前記第１設定手段により設定された前記基準値に達すると前記消耗品の交換要請を出力する消耗品交換要請出力手段として機能させる。
【発明の効果】
【００１７】
請求項１、請求項９及び請求項１０記載の発明は、複数の機器の各々における消耗品の消耗速度等を考慮して、消耗品の残寿命が短くかつ消耗品交換作業のための期間も確保できる適切な時期に消耗品の交換要請を出力することを、人手を煩わすことなく、かつ機器に設けられた消耗品を最初に交換する際から実現できる、という優れた効果を有する。
【００１９】
請求項２記載の発明は、消耗品の寿命が尽きる第１の時期の予測精度、ひいては消耗品の交換要請を出力させる第２の時期の設定精度を向上させることができる、という効果を有する。
【００２１】
請求項３記載の発明は、複数の機器の各々における消耗品の過去の消耗速度等も考慮した、より適切な時期に消耗品の交換要請を出力することができる、という効果を有する。
【００２２】
請求項４記載の発明は、複数の機器の各々における消耗品の消耗速度等を考慮して消耗品の交換要請を出力する時期を設定することを簡易な処理で実現できる、という効果を有する。
【００２３】
請求項５記載の発明は、任意の条件に合致した場合に消耗品の交換要請を出力する時期を修正することが可能となる、という効果を有する。
【００２４】
請求項６記載の発明は、消耗品の交換要請を出力する機器における消耗品の消耗速度等に応じて、消耗品の交換要請を出力する時期を最適化することができる、という効果を有する。
【００２５】
請求項７記載の発明は、消耗品の交換要請を出力する日付が任意の条件に合致した場合に、前記日付を修正することができる、という効果を有する。
【００２６】
請求項８記載の発明は、消耗品の交換要請を出力する機器が設置されている地区に応じて、消耗品の交換要請を出力する日付を修正することができる、という効果を有する。
【発明を実施するための最良の形態】
【００２７】
以下、図面を参照して本発明の実施形態の一例を詳細に説明する。なお、以下では本発明の実施形態の説明に先立ち、まず本発明の比較例を説明する。
【００２８】
〔比較例〕
図１には本比較例に係る画像形成装置１０が示されている。画像形成装置１０は請求項１等に記載の機器に対応しており、ケーシング１０Ａの上方に、セットされた原稿の画像をスキャンし、Ｒ,Ｇ,Ｂ各色に分解して読み取る画像読取部１２が設けられている。画像読取部１２は制御部７０に接続されており（図２参照）、原稿を読み取ることによって得られた各色の画像データを制御部７０へ出力する。
【００２９】
一方、ケーシング１０Ａ内のほぼ中央部には、ロール状の感光体１６が回転可能に配置されている。感光体１６は図示しない感光体回転駆動部により図１矢印Ａ方向に回転される。感光体１６の下方には帯電ローラ１８が設けられている。帯電ローラ１８は図示しない帯電器により帯電され、感光体１６の外周面を帯電させる。また感光体１６の下方には、所定間隔隔てて露光装置２２が設けられている。露光装置２２は光源として図示しない半導体レーザを備えている。露光装置２２は制御部７０に接続されており（図２参照）、制御部７０から入力された画像データに応じて前記半導体レーザを変調し、半導体レーザから射出されたレーザビームを感光体１６に照射する。これにより感光体１６の外周面に静電潜像が形成される。
【００３０】
また、感光体１６の側方には現像装置２４が設けられている。現像装置２４は回転可能に配置されたロール状の収容体を備えている。この収容体の内部は、収容体の回転軸から放射状に延設された隔壁によって４個の収容部に区画されており、各収容部には現像器２６Ｙ、２６Ｍ、２６Ｃ、２６Ｋが設けられている。現像器２６Ｙ、２６Ｍ、２６Ｃ、２６Ｋは、内部に各々Ｙ、Ｍ、Ｃ、Ｋ各色のトナーを貯留しており、各々現像ロール２８を備えている。現像器２６Ｙ、２６Ｍ、２６Ｃ、２６Ｋは、図示しない収容体回転駆動部によって収容体が回転され、現像ロール２８が感光体１６の外周面と間隙を隔てて対向する位置（現像位置）へ移動された状態で、図示しない現像ローラ回転駆動部によって現像ロール２８が回転されることで、現像ロール２８によって感光体１６と現像ロール２８との間隙へトナーを供給する。そして、現像ロール２８と感光体１６との間にバイアス電圧が印加されることで、感光体１６の外周面に形成された静電潜像は、感光体１６と現像ロール２８との間隙へ供給されたトナーによってＹ、Ｍ、Ｃ、Ｋの各色に現像され、感光体１６の外周面上に各色のトナー像が形成される。
【００３１】
また、図１において感光体１６の略上方には無端の中間転写ベルト３０が設けられている。中間転写ベルト３０はローラ３２、３４、３６に巻掛けられ、環状の外周面（画像形成面）が感光体１６の外周面に接触するように配置されている。ローラ３２、３４、３６の何れか１つは図示しないベルト回転駆動部によって回転され、中間転写ベルト３０を図１矢印Ｂ方向に回転させる。中間転写ベルト３０を挟んで感光体１６の反対側には転写ローラ４０が設けられており、感光体１６の外周面上に形成されたトナー像は転写ローラ４０によって中間転写ベルト３０の画像形成面に転写される（一次転写）。一次転写位置よりも感光体１６の回転方向下流側には感光体１６の外周面を清掃する清掃装置４２が設けられており、感光体１６の上方には、中間転写ベルト３０の画像形成面を清掃する清掃装置４４が設けられている。
【００３２】
一方、ケーシング１０Ａ内の底部近傍にはトレイ４６が配置されている。トレイ４６内には記録用紙が多数枚積層された状態で収容されている。トレイ４６の図１左斜め上方には取り出しローラ５０が配置されており、取り出しローラ５０の上方には所定間隔隔ててローラ対５２が設けられている。積層状態で最も上方に位置している記録紙は、取り出しローラ５０が回転されることによりトレイから取り出され、図１に想像線で示すように、ローラ対５２に挟持されて上方へ搬送される。
【００３３】
また、図１においてケーシング１０Ａの左側方には、ケーシング１０Ａ内に手差しで記録用紙を挿入するための手差しトレイ５４が設けられている。ケーシング１０Ａ内には、手差しトレイ５４に対応してローラ５６及びガイド５８が設けられており、手差しトレイ５４配設部位からケーシング１０Ａ内部に挿入された記録用紙は、ローラ５６及びガイド５８に案内されてローラ対５２に挟持され、前記と同様に上方へ搬送される。
【００３４】
また、中間転写ベルト３０を挟んでローラ３６の反対側には、ローラ３６に対向するようにローラ６０が設けられている。ローラ対５２によって上方へ搬送された記録用紙は、このローラ６０と中間転写ベルト３０とに挟持され、中間転写ベルト３０の画像形成面に形成されたトナー像が転写される（二次転写）。二次転写位置の上方には、定着ローラ対を備えた定着装置６２が設けられており、記録用紙に転写されたトナー像は定着装置６２によって定着される。定着装置６２の斜め上方にはローラ対６４が設けられており、定着装置６２配設部位を通過した記録用紙はローラ対６４に挟持されてケーシング１０Ａ外に排出され、ケーシング１０Ａから突出するように設けられた排紙トレイ６６上に載置される。
【００３５】
図２に示すように、制御部７０はマイクロコンピュータから成り、ＣＰＵ７０Ａ、メモリ７０Ｂ、フラッシュメモリやＨＤＤ(Hard Disk Drive)等の不揮発性の記憶部７０Ｃを備えている。また制御部７０には、画像形成装置１０に設けられユーザやサービスエンジニアが各種の情報を入力するためのキーボード（テンキーや各種のキー）と、画像形成装置１０に設けられ各種の情報を表示するための表示パネルを含み、ブザー等も備えた表示・操作部７２が接続されており、更に、図示しない通信回線を介しての他の機器との通信を司るネットワークＩ／Ｆ（インタフェース）部７４と、画像形成装置１０に設けられた任意の消耗品の消耗量を検出する消耗量検出部７６も接続されている。なお、消耗量検出部７６は請求項１等に記載の検出手段に対応している。
【００３６】
消耗量検出部７６が消耗量を検出する消耗品としては、消耗量を検出可能な任意の消耗品を適用可能であり、例えば画像形成装置１０の使用に伴って膜厚が消耗（減少）する感光体１６が好適である。この場合、消耗量検出部７６は、例えば現像ロール２８と感光体１６との間へのバイアス電圧の印加に伴って流れる電流の変化を検出する等により感光体１６の（膜厚の）消耗量を検出することができる。また上記の消耗品は、例えば画像形成装置１０の使用に伴って消費されるトナーであってもよく、この場合、消耗量検出部７６は、トナー貯留部内に貯留されているトナーの残量を検出することでトナーの消耗量（消費量）を検出することができる。また上記の消耗品は、例えば画像形成装置１０の使用に伴って外周面が摩耗するニップローラ（例えばローラ対５２，６４やローラ３６、６０等）であってもよく、この場合、消耗量検出部７６は、ニップローラのニップ圧の変化を検出する等によりニップローラの消耗量（摩耗量）を検出することができる。
【００３７】
また、制御部７０の記憶部７０Ｃには、消耗量検出部７６による消耗品の消耗量の検出結果を登録するための消耗品検出履歴テーブル（詳細は後述）が記憶されており、更に、消耗品交換要請プログラム及び消耗品交換要請時期設定プログラムが各々インストールされている。制御部７０は、ＣＰＵ７０Ａが消耗品交換要請プログラムを実行することで、請求項１等に記載の消耗品交換要請出力手段として機能すると共に、ＣＰＵ７０Ａが消耗品交換要請時期設定プログラムを実行することで、本発明に係る予測手段及び第１設定手段として機能する。このように、消耗品交換要請時期設定プログラムは本発明に係る消耗品管理プログラムに対応しており、制御部７０は請求項９，１０に記載の「機器に内蔵されたコンピュータ」に対応している。また、消耗品検出履歴テーブルを記憶する記憶部７０Ｃは請求項２に記載の記録手段に対応している。
【００３８】
次に本比較例の作用を説明する。本比較例に係る画像形成装置１０には、当該画像形成装置１０に設けられている消耗品が寿命に近づくと消耗品の交換要請を出力する機能が設けられているが、当該機能は、例として図３にも示すように、消耗品の消耗量を予め複数のレベル(Ｌ0,Ｌ1,Ｌ2,…,Ｌmax-1,Ｌmax)に分けておくと共に、消耗品の寿命が尽きる最後のレベル(Ｌmax：エンドレベル)の１つ前のレベル(Ｌmax-1：ニアエンドレベル)を、交換要請を出力する基準レベルとして設定しておき、消耗量検出部７６によって検出された消耗品の消耗量が基準レベルに達すると交換要請を出力する処理（後述する消耗品交換要請処理）を行うことで実現される。
【００３９】
これに対し、本比較例に係る画像形成装置１０は市場に多数台出回っており、個々の画像形成装置１０は互いに異なるユーザによって使用されているが、その使用頻度は個々の画像形成装置１０毎に相違しており、個々の画像形成装置１０に設けられている各種の消耗品の消耗速度も、図３に示すように個々の画像形成装置１０の使用頻度に応じて相違する。このため、使用頻度が比較的高い画像形成装置１０では各種の消耗品の消耗速度も高く(図３の「使用頻度：高」も参照)、これに伴い消耗品の交換要請が出力されてから当該消耗品の寿命が尽きる（消耗量がエンドレベルに達する）迄の期間も短いので、消耗品の寿命が尽きることで画像形成装置１０を長時間稼働できない状態に陥ることを回避するために、ユーザ又はサービスエンジニアは、交換要請が出力されると迅速に消耗品を交換する作業を行う必要があり、ユーザ又はサービスエンジニアの負担が大きいという問題がある。
【００４０】
一方、使用頻度が比較的低い画像形成装置１０では各種の消耗品の消耗速度も低く、これに伴い消耗品の交換要請が出力されてから当該消耗品の寿命が尽きる迄の期間も長くなるが、消耗品の交換要請が出力された段階で、消耗品の残量は既知（Ｌmax-1−Ｌmax）であるものの、ユーザやサービスエンジニアにとって消耗品の寿命が尽きる迄の期間は未知であるので、消耗品の寿命が早期に尽きて画像形成装置１０を長時間稼働できない状態に陥る可能性を考慮して消耗品を交換する作業が早期に行われることが多く、消耗品の寿命が尽きる迄の期間の実際の長さに比して早期に交換作業が行われることで、消耗品の使用効率が低いという問題がある。
【００４１】
上記問題を解決するため、本比較例に係る制御部７０では、図５に示す消耗品交換要請時期設定処理を行っているが、まずこの処理の説明に先立ち、制御部７０のＣＰＵ７０Ａによって消耗品交換要請プログラムが実行されることで行われる消耗品交換要請処理について、図４を参照して説明する。
【００４２】
この消耗品交換要請処理は、例えば画像形成装置１０の電源投入時や、一定時間が経過する毎、形成画像数が一定数に達する毎等、画像形成装置１０で定期的に実行され、まずステップ１００では消耗量検出部７６によって消耗品の消耗量を検出させ、消耗量の検出結果（消耗量検出値）を消耗量検出部７６から取得する。ステップ１０２では、ステップ１００で取得した消耗量検出値を記憶部７０Ｃに記憶されている消耗量検出履歴テーブルと照合し、次のステップ１０４において、取得した消耗量検出値に対応する消耗量のレベルを判断し、判断した消耗量のレベルに対応する検出日時が消耗量検出履歴テーブルに登録されていないか否か判定する。
【００４３】
本比較例では、前述のように消耗品の消耗量が予め複数のレベルに分けられており、本比較例に係る消耗量検出履歴テーブルは、図６(Ａ)にも示すように、消耗量が各レベルに達したことを検出した日時を消耗量の各レベル毎に登録可能とされている。ステップ１０４で判断した消耗量のレベルに対応する検出日時が既に消耗量検出履歴テーブルに登録されている場合、今回の消耗量検出値に対応するレベルには以前より達していると判断できるので、ステップ１０４の判定が否定され、ステップ１０８へ移行する。
【００４４】
また、ステップ１０４で判断した消耗量のレベルに対応する検出日時が既に消耗量検出履歴テーブルに登録されていない場合、今回の消耗量検出値に対応するレベルには今回初めて達したと判断できるので、ステップ１０４の判定が肯定されてステップ１０６へ移行し、現在の日時を、消耗量検出値に対応する消耗量レベルの検出日時として消耗量検出履歴テーブルに登録した後にステップ１０８へ移行する。このように、消耗量検出履歴テーブルは、消耗品の消耗量の増大（残量の低下）に伴って適宜更新される。
【００４５】
またステップ１０８では、消耗量検出履歴テーブルから交換要請時期を規定する消耗量の基準レベルを読み出す。なお、先にも説明したように、従来はこの基準レベルとしてニアエンドレベルを固定的に設定していたが、本比較例では後述する消耗品交換要請時期設定処理によって基準レベルが設定される。次のステップ１１０では、ステップ１００で取得した消耗量検出値がステップ１０８で読み出した基準レベル以上か否か判定する。判定が否定された場合は消耗品交換要請処理を終了するが、判定が肯定された場合はステップ１１２へ移行し、消耗品の交換を要請するメッセージを表示・操作部７２の表示パネルに表示させたり、表示・操作部７２のブザーを鳴動させる等により、ユーザやサービスエンジニアに対して消耗品の交換を要請し、処理を終了する。
【００４６】
これにより、消耗品の交換時期が到来したことがユーザやサービスエンジニアに認識され、消耗品を交換（或いは補給）する交換作業が行われることになる。なお、上述した消耗品交換要請処理では、図４では図示は省略しているが、交換作業が行われて消耗品が交換（或いは補給）されたことを検知すると、消耗量検出履歴テーブルに登録されている各レベル毎の検出日時を消去する処理も行われる。
【００４７】
次に、制御部７０のＣＰＵ７０Ａによって消耗品交換要請時期設定プログラムが実行されることで行われる消耗品交換要請時期設定処理について、図５を参照して説明する。なお、消耗品交換要請時期設定処理も先に説明した消耗品交換要請処理と同様に定期的に行われるが、その実行時間間隔は消耗品交換要請処理よりも長くてよい。
【００４８】
消耗品交換要請時期設定処理では、まずステップ１２０において、消耗量検出履歴テーブルに登録されている消耗量レベル及び検出日時を全て読み出す。次のステップ１２２では、ステップ１２０で消耗量検出履歴テーブルから読み出した消耗量レベル及び検出日時に基づき、読み出した消耗量レベル及び検出日時が表す速度で今後も消耗品の消耗量が増大する（残量が減少する）と仮定して、消耗品の寿命が尽きる時期(エンド日時)を予測する。なお、ステップ１２２で予測された日時（予測エンド日時）は本発明に係る第１の時期に対応しており、ステップ１２０，１２２は本発明に係る予測手段（詳しくは請求項２に記載の予測手段）に対応している。
【００４９】
また、本比較例では、消耗品の交換要請を出力する日時からエンド日時に至る期間の長さが交換作業期間として予め設定されており、次のステップ１２４では、予め記憶部７０Ｃに書き込まれている交換作業期間の設定値を読み出す。  またステップ１２６では、ステップ１２２で予測したエンド日時(予測エンド日時)からステップ１２４で読み出した交換作業期間の設定値が表す期間だけ遡った日時を交換要請予測日時として求める。またステップ１２８では、ステップ１２０で消耗量検出履歴テーブルから読み出した消耗量レベル及び検出日時に基づき、ステップ１２６で求めた交換要請予測日時における消耗品の消耗量を予測する。そしてステップ１３０では、ステップ１２８で求めた消耗量の予測値を、交換要請時期を規定する消耗量の基準レベルとして消耗量検出履歴テーブルに登録し、処理を終了する。
【００５０】
なお、上記の交換予測日時は本発明に係る第２の時期に、ステップ１２８で求めた消耗量の予測値は、「第２の時期における前記消耗品の消耗量を予測」した結果に各々対応しており、ステップ１２４〜ステップ１３０は本発明に係る第１設定手段に対応している。
【００５１】
上述した消耗品交換要請時期設定処理の作用を説明する。ユーザによる画像形成装置１０の使用頻度が比較的低い場合、例として図６(Ｂ)に示すように、当該画像形成装置１０における消耗品の消耗速度も低いので、従来のように消耗量の基準レベルとして一定レベル（＝ニアエンドレベル：旧基準レベル）を適用した場合、消耗品の交換要請が出力されてから当該消耗品の寿命が尽きる迄の期間が長く、消耗品の使用効率が低くなる。これに対して本比較例に係る消耗品交換要請時期設定処理では、消耗品の交換要請が出力されてから当該消耗品の寿命が尽きる迄の期間（交換作業期間）が予め設定されており、この交換作業期間の設定値に応じて消耗量の基準レベルが設定されることで、使用頻度が比較的低い画像形成装置１０に対しては、例として図６(Ｃ)に示すように、消耗品の基準レベルが従来よりも低くなり、消耗品の交換要請が出力されてから当該消耗品の寿命が尽きる迄の期間が短縮（適正化）される。
【００５２】
一方、ユーザによる画像形成装置１０の使用頻度が比較的高い場合には、例として図７(Ａ)に示すように、当該画像形成装置１０における消耗品の消耗速度も高く、従来のように消耗量の基準レベルとして一定レベル（＝ニアエンドレベル：旧基準レベル）を適用した場合、消耗品の交換要請が出力されてから当該消耗品の寿命が尽きる迄の期間が短く、ユーザ又はサービスエンジニアの負担が大きい。これに対して本比較例に係る消耗品交換要請時期設定処理では、消耗品の交換要請が出力されてから当該消耗品の寿命が尽きる迄の期間（交換作業期間）が予め設定されており、この交換作業期間の設定値に応じて消耗量の基準レベルが設定されることで、使用頻度が比較的高い画像形成装置１０に対しては、例として図７(Ｂ)に示すように、消耗品の基準レベルが従来よりも高くなり、消耗品の交換要請が出力されてから当該消耗品の寿命が尽きる迄の期間が延長（適正化）される。
【００５３】
〔第１実施形態〕
次に本発明の第１実施形態について説明する。なお、比較例と同一の部分には同一の符号を付し、説明を省略する。
【００５４】
図８には本第１実施形態に係る画像形成装置管理システム８０が示されている。画像形成装置管理システム８０は、複数台の画像形成装置１０が通信回線を介して管理装置８２と各々接続されて構成されている。管理装置８２はサーバ・コンピュータ等から成り、ＣＰＵ８２Ａ、メモリ８２Ｂ、フラッシュメモリやＨＤＤ(Hard Disk Drive)等の不揮発性の記憶部８２Ｃ、複数台の画像形成装置１０の各々との通信を司るネットワークＩ／Ｆ部８２Ｄを備えている。管理装置８２の記憶部８２Ｃには、差分期間（後述）の演算結果を登録するための差分期間テーブルが記憶されており、更に、消耗品交換要請時期設定通知プログラムがインストールされている。
【００５５】
管理装置８２は、ＣＰＵ８２Ａが消耗品交換要請時期設定通知プログラムを実行することで、本発明に係る予測手段、第１設定手段及び第２設定手段として機能する。このように、消耗品交換要請時期設定通知プログラムも本発明に係る消耗品管理プログラムに対応しており、管理装置８２は請求項９，１０に記載の「機器と通信回線を介して接続されたコンピュータ」に対応している。また、差分期間テーブルを記憶する記憶部８２Ｃは請求項３に記載の記録手段に対応している。
【００５６】
次に本第１実施形態の作用として、ＣＰＵ８２Ａが消耗品交換要請時期設定通知プログラムを実行することで管理装置８２で行われる消耗品交換要請時期設定通知処理について、図９を参照して説明する。なお、この消耗品交換要請時期設定通知処理についても管理装置８２で定期的に行われる。
【００５７】
消耗品交換要請時期設定通知処理では、まずステップ１４０において、画像形成装置管理システム８０の全ての画像形成装置１０から情報を収集したか否か判定する。判定が否定された場合はステップ１４２へ移行し、情報未収集の何れか１台の画像形成装置１０を処理対象に設定し、当該処理対象の画像形成装置１０に対し、消耗量検出履歴テーブルに登録されている消耗量レベル及び検出日時の転送を要請する所定の情報を送信する。次のステップ１４４では、処理対象の画像形成装置１０から消耗量レベル及び検出日時を受信したか否か判定し、判定が肯定される迄ステップ１４４を繰り返す。所定の情報の受信を契機として、処理対象の画像形成装置１０が消耗量検出履歴テーブルに登録されている消耗量レベル及び検出日時を全て読み出して送信することで、処理対象の画像形成装置１０から通信回線を介して前記消耗量レベル及び検出日時を受信すると、ステップ１４４の判定が肯定されてステップ１４６へ移行し、処理対象の画像形成装置１０から受信した消耗量レベル及び検出日時をメモリ８２Ｂに記憶させる。
【００５８】
次のステップ１４８では、処理対象の画像形成装置１０から受信してメモリ８２Ｂに記憶させた消耗量レベル及び検出日時に基づき、処理対象の画像形成装置１０における消耗品の消耗量が、前記消耗量レベル及び検出日時が表す速度で今後も増大する（残量が減少する）と仮定して、処理対象の画像形成装置１０において消耗品の寿命が尽きる時期(エンド日時)を予測する。また、ステップ１５０では処理対象の画像形成装置１０から受信してメモリ８２Ｂに記憶させた消耗量レベル及び検出日時に基づき、処理対象の画像形成装置１０における消耗品の消耗量がニアエンドレベルに達する日時(当初予測交換作業日時)を予測する。なお、この当初予測交換作業日時は請求項１に記載の第３の時期に対応している。
【００５９】
そしてステップ１５２では、ステップ１４８で求めた予測エンド日時とステップ１５０で求めた当初予測交換作業日時との差分に相当する期間（差分期間）を演算し、演算した差分期間を差分期間テーブルに登録する。なお、この差分期間は請求項１に記載の予測差分期間に対応しており、ステップ１４８〜ステップ１５２は本発明に係る予測手段（詳しくは請求項２,３に記載の予測手段）に対応している。ステップ１５２の処理を終了するとステップ１４０に戻り、ステップ１４０の判定が肯定される迄ステップ１４０〜ステップ１５２を繰り返す。これにより、管理装置８２に接続された全ての画像形成装置１０から消耗量レベル及び検出日時が各々収集され、差分期間の演算・テーブルへの登録が全ての画像形成装置１０について各々行われることになる。
【００６０】
なお、差分期間テーブルには、過去に演算した差分期間のデータを全て登録しておくようにしてもよいし、消耗品交換要請時期設定通知処理を行う際に差分期間テーブルに登録されているデータを毎回消去するようにしてもよいし、過去の一定期間内に演算した差分期間のデータ又は一定数の差分期間のデータのみを差分期間テーブルに登録しておくようにしてもよい。
【００６１】
ステップ１４０の判定が肯定されるとステップ１５４へ移行し、差分期間テーブルに登録されている差分期間に基づいて差分期間のヒストグラムを作成する。そしてステップ１５６では、ステップ１５４で作成した差分期間のヒストグラムに基づいて、交換作業期間（消耗品の交換要請出力日時からエンド日時に至る期間）の設定値を決定する。交換作業期間の設定値としては、例えば図１０(Ａ)に示すように、差分期間のヒストグラムを差分期間の小さい側からスキャンし、最初に頻度＞０となったときの差分期間、すなわち差分期間テーブルに登録されている差分期間の最小値を用いることができる。また、例えば図１０(Ｂ)に示すように、差分期間のヒストグラムを差分期間の小さい側からスキャンしながら累積頻度を演算していき、累積頻度が所定割合に達したときの差分期間を交換作業期間の設定値として用いてもよい。
【００６２】
これにより、画像形成装置管理システム８０の複数台の画像形成装置１０のうち使用頻度（消耗品の消耗速度）が比較的高い画像形成装置１０における差分期間に基づいて交換作業期間の設定値が決定されることになり、高い使用効率で消耗品が使用されるように交換作業期間の設定値が適正化される。また、本第１実施形態に係る消耗品交換要請時期設定通知処理は定期的に実行され、交換作業期間の設定値はその都度決定されるので、複数台の画像形成装置１０における消耗品の消耗速度が全体的に変化した等の場合にも、この変化が交換作業期間の設定値に反映される。
【００６３】
なお、ステップ１５４、１５６は請求項１に記載の第２設定手段（より詳しくは請求項３に記載の第２設定手段）に対応しており、差分期間のヒストグラムに基づいて交換作業期間の設定値を上記のようにして決定することは、より詳しくは請求項４記載の発明に対応している。また、交換作業期間の設定値に最大値を予め設定しておき、図１０(Ａ)又は(Ｂ)の方法によって求めた設定値が最大値を越えていた場合は、図１０(Ｃ)に示すように交換作業期間の設定値として最大値を用いるようにしてもよい。この場合、複数台の画像形成装置１０の使用頻度が何れも低く、複数台の画像形成装置１０における消耗品の消耗速度が何れも低いときに、交換作業期間の設定値が過大となることが防止される。
【００６４】
次のステップ１５８では画像形成装置管理システム８０の全ての画像形成装置１０に情報（消耗量の基準レベル）を通知したか否か判定する。判定が否定された場合はステップ１６０へ移行し、情報を未通知の何れか１台の画像形成装置１０を処理対象に設定した後に、当該処理対象の画像形成装置１０に対して先のステップ１４８で求めた予測エンド日時から、ステップ１５６で決定した交換作業期間の設定値が表す期間だけ遡った日時を交換要請予測日時として求める。またステップ１６２では、処理対象の画像形成装置１０から受信して先のステップ１４６でメモリ８２Ｂに記憶させた消耗量レベル及び検出日時に基づき、ステップ１６０で求めた交換要請予測日時における、処理対象の画像形成装置１０の消耗品の消耗量を予測する。そしてステップ１６４では、ステップ１２８で求めた消耗量の予測値を、消耗品の交換要請時期を規定する消耗量の基準レベルとして処理対象の画像形成装置１０へ通知する。
【００６５】
ステップ１６４の処理を行うとステップ１５８に戻り、ステップ１５８の判定が肯定される迄ステップ１５８〜ステップ１６４を繰り返す。これにより、複数の画像形成装置１０の各々に対し、交換要請予測日時の設定、消耗品の消耗量の予測及び通知が各々行われることになる。そして、ステップ１５８の判定が肯定されると処理を終了する。
【００６６】
管理装置８２から個々の画像形成装置１０に通知された消耗量の予測値（消耗量の基準レベル）は、個々の画像形成装置１０の記憶部７０Ｃに記憶されている消耗量検出履歴テーブルに各々登録される。本第１実施形態では、個々の画像形成装置１０で消耗品交換時期設定処理(図５)は行われず、個々の画像形成装置１０で行われる消耗品交換要請処理(図４)において、管理装置８２から通知されて消耗量検出履歴テーブルに登録した消耗量の基準レベルをそのまま用いて消耗品の交換要請の出力タイミングが判断される。
【００６７】
なお、第１実施形態では、個々の画像形成装置１０における交換要請予測日時及び消耗量の基準レベルの設定を管理装置８２が行う態様を説明したが、これに限定されるものではなく、管理装置８２では、交換作業期間の設定値を決定し、決定した設定値を個々の画像形成装置１０へ通知する処理のみを行い、通知された交換作業期間の設定値に基づく交換要請予測日時及び消耗量の基準レベルの設定は個々の画像形成装置１０で行うようにしてもよい。
【００６８】
〔第２実施形態〕
次に本発明の第２実施形態について説明する。なお、第１実施形態と同一の部分には同一の符号を付して説明を省略する。本第２実施形態は、管理装置８２が、消耗量の基準レベルに代えて交換品の交換要請を出力する日時（交換要請日時）を設定して個々の画像形成装置１０に通知する点で相違しており、個々の画像形成装置１０では、管理装置８２から通知された交換要請日時に消耗品の交換要請を出力するように構成されている。また本第２実施形態は、管理装置８２の記憶部８２Ｃに、交換要請日時の修正条件と、交換要請日時が前記修正条件に合致したときの交換要請日時の修正ルールを対応付けた修正ルール情報が記憶されている点でも第１実施形態と相違しており、記憶部８２Ｃは請求項５に記載の記憶手段にも対応している。なお、修正ルール情報の詳細については後述する。
【００６９】
次に本第２実施形態の作用として、本第２実施形態に係る消耗品交換要請時期設定通知処理について、図１１を参照し、第１実施形態と異なる部分についてのみ説明する。本第２実施形態に係る消耗品交換要請時期設定通知処理では、差分期間のヒストグラムを作成し（ステップ１５４）、作成したヒストグラムに基づいて交換作業期間の設定値を決定し（ステップ１５６）た後、ステップ１５８の判定を経て、画像形成装置管理システム８０の全ての画像形成装置１０に対し、以下で説明するステップ１７０〜ステップ１７８の処理を各々行う。なお、本第２実施形態におけるステップ１４８〜ステップ１５２も本発明に係る予測手段（詳しくは請求項６に記載の予測手段）に対応している。
【００７０】
すなわち、ステップ１７０では、第１実施形態に係る消耗品交換要請時期設定通知処理（図９）のステップ１６０と同様に、処理対象の画像形成装置１０における予測エンド日時からステップ１５６で決定した交換作業期間の設定値が表す期間だけ遡った日時を、交換品の交換要請を出力する日時（交換要請日時）として求めるが、ここで求めた交換要請日時の仮の日時であり、条件によっては次のステップ１７２〜ステップ１７６で修正される。
【００７１】
ステップ１７２では、ステップ１５６で決定した交換作業期間の設定値と、ステップ１５２で演算した処理対象の画像形成装置１０における差分期間と、の偏差を演算する。記憶部８２Ｃに記憶されている修正ルール情報の中には、一例として図１２(Ａ)に示すように、交換作業期間の設定値と差分期間の偏差が各日数のとき（交換要請日時の修正条件に相当）の交換要請日時の修正ルールを定めた修正ルール情報が含まれており、ステップ１７２では、続いて、上記の演算によって算出された偏差に対応する修正ルールを上記の修正ルール情報から抽出し、抽出した修正ルールが「修正せず」以外であれば、ステップ１７０で仮設定した交換要請日時を抽出した修正ルールに従って修正する。
【００７２】
また、記憶部８２Ｃに記憶されている修正ルール情報の中には、一例として図１２(Ｂ)に示すように、画像形成装置１０が設置されている地区が各地区のとき（交換要請日時の修正条件に相当）の交換要請日時の修正ルールを定めた修正ルール情報が含まれている。各地区毎の修正ルールは、各地区における画像形成装置１０のメインテナンスの体制（例えばサービスエンジニア１人当りの画像形成装置１０の台数や、交換品発注から到着迄の日数）等に基づいて定められている。次のステップ１７４では、処理対象の画像形成装置１０が設置されている地区を認識し（地区の認識は、個々の画像形成装置１０から設置地区を表すコード情報を送信させることで行うようにしてもよいし、個々の画像形成装置１０毎に設置地区を予め登録しておき、この情報を参照することで行うようにしてもよい）、認識した設置地区に対応する修正ルールを上記の修正ルール情報から抽出し、抽出した修正ルールが「修正せず」以外であれば、ステップ１７０，１７２の処理を経た交換要請日時を抽出した修正ルールに従って修正する。
【００７３】
また、記憶部８２Ｃに記憶されている修正ルール情報の中には、一例として図１２(Ｃ)に示すように、交換要請日時の日付に対する条件（これも交換要請日時の修正条件に相当している）と、交換要請日時の日付が上記条件に合致したときの交換要請日時の修正ルールを定めた修正ルール情報が含まれている。交換要請日時の日付に対する各条件毎の修正ルールは、画像形成装置１０のメインテナンスの休業日等に基づいて定められている。次のステップ１７６では、交換要請日時の日付が上記の修正ルール情報に規定されている日付に対する各条件の何れかに合致するか否か判定し、合致する条件が存在している場合には、当該条件に対応する修正ルールを上記の修正ルール情報から抽出し、ステップ１７０〜１７４の処理を経た交換要請日時を抽出した修正ルールに従って修正する。
【００７４】
なお上述したステップ１７２〜ステップ１７６は請求項５に記載の修正手段に対応しており、より詳しくは、ステップ１７２は請求項６に記載の修正手段に、ステップ１７４は請求項８に記載の修正手段に、ステップ１７６は請求項７に記載の修正手段に各々対応している。そして次のステップ１７８では、上述したステップ１７０〜１７６の処理を経て得られた交換要請日時を画像形成装置１０に通知する。これにより、消耗品の交換要請を出力する日時が各種条件に応じて最適化される。
【００７５】
なお、第２実施形態では交換要請日時の修正を管理装置８２が行う態様を説明したが、これに限定されるものではなく、管理装置８２では交換要請日時の仮設定及び画像形成装置１０への通知を行い、個々の画像形成装置１０で各種条件に応じた交換要請日時の修正を行うようにしてもよい。また、管理装置８２では交換作業期間の設定値の決定及び画像形成装置１０への通知を行い、個々の画像形成装置１０において、交換要請日時の仮設定及び各種条件に応じた交換要請日時の修正を行うようにしてもよい。
【００７６】
また、上記では「機器の使用に伴って徐々に消耗する消耗品を含む機器」の一例として画像形成装置１０を例に説明したが、これに限定されるものではなく、消耗品を含む機器であれば本発明を適用可能である。
【００７７】
また、上記では本発明に係る消耗品管理プログラムに対応する消耗品交換要請時期設定プログラム又は消耗品交換要請時期設定通知プログラムが、画像形成装置１０の記憶部７０Ｃ又は管理装置８２の記憶部８２Ｃに予め記憶（インストール）されている態様を説明したが、本発明に係る消耗品管理プログラムは、ＣＤ−ＲＯＭやＤＶＤ−ＲＯＭ等の記録媒体に記録されている形態で提供することも可能である。
【図面の簡単な説明】
【００７８】
【図１】比較例及び実施形態に係る画像形成装置の概略構成図である。
【図２】画像形成装置の制御部及びその周辺の構成を示す概略ブロック図である。
【図３】従来の問題点を説明するための消耗品の消耗量の変化の一例を示す線図である。
【図４】消耗品交換要請処理の内容を示すフローチャートである。
【図５】消耗品交換要請時期設定処理の内容を示すフローチャートである。
【図６】(Ａ)は消耗品検出履歴テーブルの一例、(Ｂ),(Ｃ)は消耗量の基準レベル設定の作用を説明するための線図である。
【図７】消耗量の基準レベル設定の作用を説明するための線図である。
【図８】第１実施形態に係る画像形成装置管理システムの概略構成を示すブロック図である。
【図９】第１実施形態に係る消耗品交換要請時期設定通知処理の内容を示すフローチャートである。
【図１０】差分期間のヒストグラムに基づく交換作業期間設定の例を示す線図である。
【図１１】第２実施形態に係る消耗品交換要請時期設定通知処理の内容を示すフローチャートである。
【図１２】第２実施形態に係る修正ルールの一例を示す図表である。
【符号の説明】
【００７９】
１０  画像形成装置
７０  制御部
７０Ｃ  記憶部
７２  表示・操作部
７６  消耗量検出部
８０  画像形成装置管理システム
８２  管理装置
８２Ｃ  記憶部
【図１】
0005194664.tif 000002
【図２】
0005194664.tif 000003
【図３】
0005194664.tif 000004
【図４】
0005194664.tif 000005
【図５】
0005194664.tif 000006
【図６】
0005194664.tif 000007
【図７】
0005194664.tif 000008
【図８】
0005194664.tif 000009
【図９】
0005194664.tif 000010
【図１０】
0005194664.tif 000011
【図１１】
0005194664.tif 000012
【図１２】
0005194664.tif 000013